(57)【特許請求の範囲】
【請求項１】
携帯移動端末の位置情報に基づいて通信を管理する通信管理システムにおいて、
前記携帯移動端末が送出する位置情報を受信する基地局と、
前記基地局と通信して前記携帯移動端末の位置情報の登録を行なう通信管理装置と、
現在時刻が所定の時間帯に入ったか否かを判断する判断手段と、
位置情報の登録を行なわない携帯移動端末を指定する端末指定手段とを具備し、
前記通信管理装置と前記基地局は、前記判断手段が所定の時間帯に入ったと判断した場合、前記通信管理装置と前記基地局との間で、前記携帯移動端末の位置情報の登録に必要な通信を行なわないことを特徴とする通信管理システム。
【発明の詳細な説明】
【０００１】
【発明の属する技術分野】
本発明は、携帯移動端末、基地局及び通信管理システムに係り、更に詳しくは、基地局に対して位置登録に必要な情報を送出する携帯移動端末、携帯移動端末に自局の情報を送出する基地局及び携帯移動端末の位置情報に基づいて通信を管理する通信管理システムに関する。
【０００２】
【従来の技術】
会社や学校などの一つのコミュニティー内で使用される構内移動電話システムは既に知られており、この従来の構内移動電話システムでは、発呼や着呼などの通信制御を行なうために、携帯移動端末（Ｐｅｒｓｏｎａｌ  Ｓｔａｔｉｏｎ、以下「ＰＳ」ともいう）が属するゾーン番号を基地局に対応付けて通信管理装置に登録（即ち、位置登録）している。また、一般的にＰＳは、基地局のＩＤ番号や一斉呼出エリアのＩＤ番号が変化した場合に基地局を経由して通信管理装置にゾーン番号を登録する。
【０００３】
【発明が解決しようとする課題】
例えば、ある会社内で従来の構内移動電話システムを使用する場合、昼食時や朝礼、昼礼及び講演会などの各種イベントの開催時などには、同じ時間帯に数多くの人々が一ヶ所に集中する結果、その地域を受け持つ基地局のみにゾーン番号変更登録の為の通信が一斉に行われるので、構内移動電話システムが発呼や着呼などができない輻輳状態となって、最終的にシステムダウンに至ることが頻繁に発生していた。
【０００４】
本発明は、上記の問題点を解決するためになされたものであり、同じ時間帯に数多くの人々が一ヶ所に集中する場合でも、移動通信システム（特に、構内移動電話システム）が輻輳状態とならず、常に良好な通信状態を維持することが可能な携帯移動端末、基地局及び通信管理システムを提供することを目的とする。
【０００５】
【課題を解決するための手段】
請求項１に係る本発明の通信管理システムは、携帯移動端末の位置情報に基づいて通信を管理する通信管理システムにおいて、前記携帯移動端末が送出する位置情報を受信する基地局と、前記基地局と通信して前記携帯移動端末の位置情報の登録を行なう通信管理装置と、現在時刻が所定の時間帯に入ったか否かを判断する判断手段と、位置情報の登録を行なわない携帯移動端末を指定する端末指定手段を具備し、前記通信管理装置と前記基地局は、前記判断手段が所定の時間帯に入ったと判断した場合、前記通信管理装置と前記基地局との間で、前記携帯移動端末の位置情報の登録に必要な通信を行なわないことを特徴とする。
【００１２】
【実施の形態】
本発明の実施の形態を、構内電話システムを一例にして、図面と共に詳細に説明する。
【００１３】
図１は、本発明に係る通信管理システムの全体構成を示すブロック図である。
【００１４】
図１において、１は構内交換機、１ａは中央制御部、１ｂは記憶部、１ｃは通話路部、１ｄ、１ｅ及び１ｆは接続インタフェース、１ｇは入力部、１ｈは計時部である。また２ａ、２ｂ及び２ｃは無線基地局、３ａ、３ｂ及び３ｃは携帯移動端末（以下「ＰＳ」ともいう）である。
【００１５】
構内交換機１は、図中実線内部で示され、その全体を制御する中央制御部１ａ、携帯移動端末から無線基地局を経由して送られてくる携帯移動端末の位置登録データや位置登録規制に必要なデータ（例えば、位置登録規制の時間帯データ、無線基地局データ及び携帯移動端末グループデータ）などの各種データを記憶する記憶部１ｂ、中央制御部１ａを経由して記憶部１ｂに位置登録規制に必要な各種データを入力する入力部１ｇ、現在時刻を計時する計時部１ｈ、携帯移動端末間の通話を制御する通話路部１ｃ及び無線基地局２ａ、２ｂ、２ｃとの通話制御をするための接続インタフェース１ｄ、１ｅ、１ｆで構成されている。
【００１６】
また無線基地局２ａ、２ｂ及び２ｃは、接続インタフェース１ｄ、１ｅ及び１ｆと接続されており、通話領域である各エリアＡ、エリアＢ及びエリアＣ内にあるＰＳ３ａ、３ｂ及び３ｃはそれぞれのエリアを管理する無線基地局を通じて構内交換機１と接続される。
【００１７】
図２は、図１に示す状態における構内交換機１の記憶部１ｂに記憶された通信管理情報を示す概念図である。
【００１８】
携帯移動端末が所属グループ情報（ＰＳ３ａ、ＰＳ３ｂ及びＰＳ３ｃの所属グループは、それぞれグループＡ、グループＢ及びグループＣであると仮定する）を各エリアを管理する無線基地局を介して構内交換機１に送信すると、中央制御部１ａは所属グループと位置登録情報１を記憶部１ｂに通信管理情報として登録する。
【００１９】
中央制御部１ａは、この通信管理情報に基づいて、所属グループＡであるＰＳ３ａが無線基地局２ａの通話領域であるエリアＡに存在し、所属グループＢであるＰＳ３ｂが無線基地局２ｂの通話領域であるエリアＢに存在し、所属グループＣであるＰＳ３ｃが無線基地局２ｃの通話領域であるエリアＣに存在していることを認識する。またこの場合、位置登録情報２乃至Ｎの全ては「なし」であるので、携帯移動端末が位置登録情報１以外に存在しないとも認識する。
【００２０】
図３は、構内交換機１の記憶部１ｂに記憶された位置登録規制情報を示す概念図である。
【００２１】
この位置登録規制情報は、入力部１ｇにより入力され、中央制御部１ａを経由して記憶部１ｂに記憶される。
【００２２】
規制番号１の内容は、規制日が「月曜日〜金曜日」、所属グループが「全て」（即ち、全ての携帯移動端末）、規制開始時刻が１２時００分、規制終了時刻が１３時００分、規制エリアがエリアＡ（即ち、無線基地局２ａの通話領域）であり、例えば会社などの就業日（月曜日〜金曜日）の昼食時間帯に全ての携帯移動端末に対して食堂があるエリアＡを位置登録規制するものである。また、規制番号２の内容は、規制日が「１９９８年１０月１日」、所属グループが「Ｂ」、規制開始時刻が８時００分、規制終了時刻が９時００分、規制エリアがエリアＣ（即ち、無線基地局２ｃの通話領域）であり、例えば会社などにおいて所定日（この場合、１９９８年１０月１日）の朝一番（この場合、８時００分から９時００分）に、ある部署（この場合、所属グループＢで指定される部署）の携帯移動端末に対して講堂があるエリアＣを位置登録規制するものである。
【００２３】
次に、本発明に係る通信管理システムの動作を図１乃至図４を用いて、ＰＳ３ｂについて詳細に説明する。
【００２４】
ＰＳ３ｂは図１に示すエリアＢに位置し、通信管理情報は図２に示すＰＳ３ｂの内容であり、位置登録規制情報は図３に示す規制番号１の内容であると仮定する。
【００２５】
図４は、ＰＳ３ｂの位置登録情報の遷移状態を示す概念図であり、図４（Ａ）は、規制番号１の位置登録規制が開始される直前の位置登録情報である。
【００２６】
中央制御部１ａは、計時部１ｈが計時する現在時刻を常に監視しており、記憶部１ｂに記憶されている位置登録規制情報の規制開始時刻と現在時刻とを比較することにより、位置登録規制を開始すべきか否かを判断する。この場合、中央制御部１ａは、規制開始時刻の１２時００分より位置登録規制を開始する。
【００２７】
中央制御部１ａは、位置登録規制を開始すると、位置登録規制情報の規制エリアに基づいて、位置登録規制する無線基地局を識別する。この場合、中央制御部１ａは、無線基地局２ａを識別し、接続インターフェイス１ｄを経由して無線基地局２ａに携帯移動端末の位置情報の登録に必要な通信を行なわない旨を通知すると、無線基地局２ａはそれを認識し、携帯移動端末が位置情報の登録を要求しても、中央制御部１ａと位置情報の登録に必要な通信を行なわない。
【００２８】
図４（Ｂ）は、規制番号１の位置登録規制が開始された直後の位置登録情報である。
【００２９】
中央制御部１ａは、１２時００分から位置登録規制を開始すると、記憶部１ｂに記憶されている位置登録規制情報の所属グループ及び規制エリアに基づいて、位置登録規制をかける携帯移動端末及び規制エリアを認識し、通信管理情報中の位置登録情報を変更する。この場合、中央制御部１ａは、ＰＳ３ｂを含む全ての携帯移動端末及び規制エリアＡを認識し、通信管理情報中の位置登録情報を変更するが、例えばＰＳ３ｂでは、位置登録情報２にエリアＡが追加される。この状態でＰＳ３ｂに着信があれば、エリアＡの無線基地局２ａ及びエリアＢの無線基地局２ｂの両者からＰＳ３ｂに対して呼出しが行われる。
【００３０】
図４（Ｃ）は、位置登録規制期間中に図４（Ｂ）の状態からＰＳ３ｂがエリアＡに移動した状態、更にエリアＡからエリアＢに再度移動した状態での位置登録情報である。
【００３１】
ＰＳ３ｂがエリアＢからエリアＡに移動する場合、ＰＳ３ｂは無線基地局２ａに位置登録を要求するが、位置登録規制がかけられている無線基地局２ａは、実際には位置登録の為の通信を行なわず、ＰＳ３ｂに対して位置登録が正常に行われたことを示す擬制信号を送信する。
【００３２】
ＰＳ３ｂがエリアＡから再びエリアＢに移動する場合、ＰＳ３ｂは無線基地局２ｂに位置登録を要求し、位置登録規制がかけられていない無線基地局２ｂは、接続インターフェイス１ｅを経由して、中央制御部１ａと位置登録の為の通信を行なう。中央制御部１ａは、ＰＳ３ｂの通信管理情報中の位置登録情報１にエリア情報を上書きするが、この場合エリア情報が同一であるため、ＰＳ３ｂの位置登録情報は上書き前と一致する。無線基地局２ｂは、ＰＳ３ｂに対して位置登録が正常に行われたことを示す信号を送信する。
【００３３】
図４（Ｄ）は、位置登録規制期間中に図４（Ｃ）の状態からＰＳ３ｂがエリアＣに移動した状態の位置登録情報である。
【００３４】
ＰＳ３ｂがエリアＢからエリアＣに移動する場合、ＰＳ３ｂは無線基地局２ｃに位置登録を要求し、位置登録規制がかけられていない無線基地局２ｃは、接続インターフェイス１ｆを経由して、中央制御部１ａと位置登録の為の通信を行なう。中央制御部１ａは、ＰＳ３ｂの通信管理情報中の位置登録情報１にエリアＣを上書きする。無線基地局２ｃは、ＰＳ３ｂに対して位置登録が正常に行われたことを示す信号を送信する。
【００３５】
図４（Ｅ）は、図４（Ｄ）の状態から位置登録規制が解除された状態の位置登録情報である。
【００３６】
中央制御部１ａは、計時部１ｈが計時する現在時刻を常に監視しており、記憶部１ｂに記憶されている位置登録規制情報の規制終了時刻と現在時刻とを比較することにより、位置登録規制を終了すべきか否かを判断する。この場合、中央制御部１ａは、規制終了時刻の１３時００分に位置登録規制を終了する。
【００３７】
中央制御部１ａは、位置登録規制を終了するに先立って、位置登録規制情報の規制エリアに基づいて、位置登録規制を解除する無線基地局を識別する。この場合、中央制御部１ａは、無線基地局２ａを識別し、接続インターフェイス１ｄを経由して、以後無線基地局２ａに携帯移動端末の位置情報の登録に必要な通信を行なう旨を通知すると、無線基地局２ａはそれを認識し位置情報の登録を行なう通常の状態に戻る。また、中央制御部１ａは、記憶部１ｂに記憶されている位置登録規制情報の所属グループ及び規制エリアに基づいて、位置登録規制を解除する携帯移動端末及び規制エリアを認識し、通信管理情報中の位置登録情報を変更する。この場合、中央制御部１ａは、ＰＳ３ｂを含む全ての携帯移動端末及び規制エリアＡを認識し、通信管理情報中の位置登録情報を変更するが、例えばＰＳ３ｂでは、位置登録情報２のエリアＡが削除される。この状態でＰＳ３ｂに着信があれば、エリアＣの無線基地局２ｃからＰＳ３ｂに対して呼出しが行われる。
【００３８】
図５は、本発明に係る無線基地局及び携帯移動端末を示す概念図である。
【００３９】
２０は、無線基地局であり、従来の無線基地局としての機能に加え、入力された位置登録規制に必要な各種データに基づいて、所定の時間帯になったら位置登録を行なわない旨の情報を送出する機能を備えている。
【００４０】
３０は、携帯移動端末であり、従来の携帯移動端末としての機能に加え、無線基地局２０から位置登録を行なわない旨の情報を受信することにより、位置登録に必要な情報の送出を禁止する機能を備えている。
【００４１】
また本発明に係る他の実施例としての携帯移動端末３０は、入力された位置登録規制に必要な各種データに基づいて、所定の時間帯になったら位置登録に必要な情報の送出を禁止する機能を備えている。
【００４２】
【発明の効果】
以上説明した様に、本発明に係る通信管理システムによれば、昼食時や各種イベントの開催時など、同じ時間帯に数多くの人々が一ヶ所に集中する場合でも、その時間帯を自動的に判断し、携帯移動端末が要求する位置情報の登録に必要な通信をシステム内部で行なわないので輻輳状態とならず、システムダウンに至ることがない。
【００４３】
また本発明に係る通信管理システムは、携帯移動端末が所定の基地局に位置登録されていると擬制するので、携帯移動端末に呼出しがあった場合でも、その所定の基地局着を経由して着信させることが可能となる。
【００４４】
本発明に係る基地局及び携帯移動端末によれば、所定の時間帯になったら位置登録を行なわない旨の情報を携帯移動端末送出し、携帯移動端末はその情報に基づいて位置登録に必要な情報の送出を禁止するので、輻輳状態となることを回避できる。
【００４５】
また本発明に係る携帯移動端末３０によれば、入力された位置登録規制に必要な各種データに基づいて、所定の時間帯になったら位置登録に必要な情報の送出を禁止する機能を備えているので、不必要な位置登録の為の通信をすることがなく、輻輳状態となることを回避できる。
【図面の簡単な説明】
【図１】本発明に係る通信管理システムの全体構成を示すブロック図である。
【図２】構内交換機１の記憶部１ｂに記憶された通信管理情報を示す概念図である。
【図３】構内交換機１の記憶部１ｂに記憶された位置登録規制情報を示す概念図である。
【図４】ＰＳ３ｂの位置登録情報の遷移状態を示す概念図である。
【図５】本発明に係る無線基地局及び携帯移動端末を示す概念図である。
【符号の説明】
１        構内交換機
１ａ      中央制御部
１ｂ      記憶部
１ｃ      通話路部
１ｇ      入力部
１ｈ      計時部
２ａ      無線基地局
２ｂ      無線基地局
２ｃ      無線基地局
３ａ      携帯移動端末
３ｂ      携帯移動端末
３ｃ      携帯移動端末
２０      無線基地局
３０      携帯移動端末
【図１】
0004100780.tif 000002
【図２】
0004100780.tif 000003
【図３】
0004100780.tif 000004
【図４】
0004100780.tif 000005
【図５】
0004100780.tif 000006